(57)【要約】【課題】  記録媒体上の不要なデータを容易に削除可能とする。【解決手段】  記録媒体から画像データを再生する再生手段と、一連のコンテンツを示す前記画像データのうちの所定の画面及び前記所定の画面の前後から設定された時間間隔でｎ（ｎは１以上の整数）画面を選択し、前記選択した所定の画面及びｎ画面の画像データを前記記録媒体から再生するよう前記再生手段を制御する制御手段と、前記所定の画面及びｎ画面の画像を表示装置における同一画面上に表示する表示制御手段とを備える。【選択図】  図４
2005176175.tif 000002
【特許請求の範囲】
【請求項１】
記録媒体から画像データを再生する再生手段と、
一連のコンテンツを示す前記画像データのうちの所定の画面及び前記所定の画面の前後から設定された時間間隔でｎ（ｎは１以上の整数）画面を選択し、前記選択した所定の画面及びｎ画面の画像データを前記記録媒体から再生するよう前記再生手段を制御する制御手段と、
前記所定の画面及びｎ画面の画像を表示装置における同一画面上に表示する表示制御手段とを備える画像処理装置。
【請求項２】
前記時間間隔を任意に設定する設定手段を備え、前記制御手段は前記設定手段により前記時間間隔が変更された場合、前記変更された時間間隔に基づいて再び前記ｎ画面を選択することを特徴とする請求項１記載の画像処理装置。
【請求項３】
前記設定手段は、複数の所定の時間単位の中から任意の時間単位を選択することを特徴とする請求項２記載の画像処理装置。
【請求項４】
前記制御手段は、前記一連のコンテンツの記録時間長に応じて前記時間間隔を設定することを特徴とする請求項１記載の画像処理装置。
【請求項５】
前記表示装置に表示された画面のうち、保存すべき範囲に対応した画面を任意に選択する選択手段を備え、前記制御手段は更に、前記一連のコンテンツの画像データのうち、前記選択手段により選択された画面に対応する範囲以外の画像データを前記記録媒体から削除することを特徴とする請求項１記載の画像処理装置。
【請求項６】
前記再生手段は前記記録媒体に記録されている画像データを管理するための管理情報に基づいて前記画像データを再生し、前記制御手段は前記選択手段により選択された画面に対応する範囲以外の画像データを前記記録媒体から削除するべく前記管理情報の内容を変更することを特徴とする請求項５記載の画像処理装置。
【請求項７】
前記画像データは符号化されて記録されており、前記制御手段は前記符号化の単位毎に前記画像データを削除することを特徴とする請求項５記載の画像処理装置。
【請求項８】
前記表示制御手段は前記所定の画面を中心に、その前後に前記ｎ画面の画像を表示することを特徴とする請求項１記載の画像処理装置。
【請求項９】
前記制御手段は、前記所定の画面を示す識別情報に基づいて前記所定の画面を検出することを特徴とする請求項１記載の画像処理装置。
【請求項１０】
前記画像データを前記記録媒体に記録する記録手段と、前記記録手段による前記画像データの記録中に操作可能な操作指示手段とを備え、前記記録手段は更に、前記操作指示手段の指示に応じて前記識別情報を生成し、前記操作指示手段による指示に対応した画面に前記識別情報を付加して前記記録媒体に記録することを特徴とする請求項９記載の画像処理装置。
【発明の詳細な説明】
【技術分野】
【０００１】
本発明は画像処理装置に関し、特に記録媒体に記録された画像データの処理に関する。
【背景技術】
【０００２】
従来、特許文献１に記載の様に、音声と動画像データをデジタル記録するデジタルビデオカメラが家庭に普及している。デジタルビデオカメラの記録媒体として従来テープが用いられてきたが、近年テープの代わりに大容量かつランダムアクセス可能な光磁気ディスクを使用するビデオカメラも登場している。この光磁気ディスクの登場によりユーザーがデータ編集をする際に、録画したデータの中で必要のないデータの消去、または必要なデータのつなぎ合わせなどの編集処理がユーザーにとって容易なものとなり、保存して残したい画像データだけを記録媒体に保存することが可能となった。
【特許文献１】特開２００１−１１１９６３
【発明の開示】
【発明が解決しようとする課題】
【０００３】
複数の動画・音声を記録する記録再生装置において、ユーザーは撮りたい画像データだけを録画して記録媒体に保存しようと試みる。しかしながら、ユーザーが予期しない突発的な事象、またはユーザーが予期していても事象が起きてから記録を開始したのでは、事象の始まりの部分を撮り損ねてしまうことがある。このような場合に、あらかじめ事象が起こる前から録画を開始し、事象が発生した後に録画を停止して、確実に撮りたい画像データだけを保存することが必要となる。
【０００４】
本発明はこの様な問題を解決し、記録したい画像データを確実に記録媒体に保存し、また記録媒体上の不要なデータを容易に削除可能とすることを目的とする。
【課題を解決するための手段】
【０００５】
本発明は、記録媒体から画像データを再生する再生手段と、一連のコンテンツを示す前記画像データのうちの所定の画面及び前記所定の画面の前後から設定された時間間隔でｎ（ｎは１以上の整数）画面を選択し、前記選択した所定の画面及びｎ画面の画像データを前記記録媒体から再生するよう前記再生手段を制御する制御手段と、前記所定の画面及びｎ画面の画像を表示装置における同一画面上に表示する表示制御手段とを備える。
【発明の効果】
【０００６】
ユーザーが必要とする画像データを確実に記録した後、簡単な操作にて必要な画像データだけを保存することが可能となる。
【発明を実施するための最良の形態】
【０００７】
以下、本発明の実施形態について説明する。図１は、本発明を適用した記録再生装置１００の概略構成を示すブロック図である。
【０００８】
図１に示す記録再生装置１００は、撮像部１０１、符号化部１０３、メモリ１０５から構成される記録系において、撮像部１０１から入力された映像信号をＭＰＥＧ方式で圧縮して記録データを作成し、メモリ１０５に供給する。制御部１１７では、ディスクＩ／Ｆ１０７を通してディスク１０９に対する書き込み・読み出しアドレスを制御し、供給されたデータの記録・再生を行う。制御部１１７は、後述するディスク１０９の指定された位置からデータを読み込み、再生系に供給する。再生系は、メモリ１０５、復号部１１１、出力部１１３から構成される。制御部１１７は、再生データ中の符号化された動画データを表示制御部１１９に出力し、表示制御部１１９は復号された動画データを縮小し、スーパーインポーズなどを加えて表示部１２１に出力する。また操作部１１５において指示された操作は制御部１１７へ出力する。
【０００９】
図２は本発明の記録再生装置１００の側面図（図２（ａ））、及び背面図（図２（ｂ））である。図２に示した様に、記録再生装置１００の側面は、カメラレンズ２０１、ビューファインダ２０３、巻き戻しボタン２０５、早送りボタン２０７、再生・一時停止ボタン２０９、停止ボタン２１１、タイムボタン２１３、ジョグダイアル２１５、表示パネル２１７らを含む構成となっている。またビデオカメラ背面は、ズームキー２１９、フォトボタン２２１、録画ボタン２２３、録画・再生切り替えダイアル２２５、イベントボタン２２７を含む構成となっている。
【００１０】
次に本実施の形態に対応するディスク１０９のデータ構造について説明する。ディスク１０９には、画像・音声以外の情報を管理する領域が設けられている。これらの管理情報は、通常ディスク１０９の最内周にＴＯＣ（Ｔａｂｌｅ  ｏｆ  ｃｏｎｔｅｎｔ）として記録される。例えば本例の場合、ＴＯＣに記録される管理情報の内容は、ディスク１０９に対するデータの記録情報、トラック情報、後述するＧＯＰの削除等の編集処理情報である。これら管理情報は、制御部１１７の制御結果に従って、随時書き換えが行われる。また、ディスクの外周は録画した画像データの記録エリアとして設けられている。
【００１１】
本形態において、圧縮処理は、ＭＰＥＧ（ｍｏｖｉｎｇ  ｐｉｃｔｕｒｅ  ｃｏｄｉｎｇ  ｅｘｐｅｒｔｓ  ｇｒｏｕｐ）方式を採用している。ＭＰＥＧ方式は、前のフレームあるいは前後のフレームとの差分だけをもつフレームを用意することにより、データの圧縮率を高めている。ＭＰＥＧ方式は、ＧＯＰ（Ｇｒｏｕｐ  ｏｆ  Ｐｉｃｔｕｒｅｓ）構造を持つ。再生するために必要なデータを全て含んでいるフレームと前のフレームまたは前後のフレームとの差分だけをもつフレームをひとつのグループとして管理し、このグループ単位をＧＯＰという。１ＧＯＰは通常０．５秒（１５枚程度）のフレームをグループ化したものであり、ＧＯＰ構造を持つことでＧＯＰ単位のランダムアクセスが可能となる。
【００１２】
記録系から圧縮データが供給されると、制御部１１７はその圧縮データをＧＯＰ単位ごとにディスク１０９のデータ領域へ記録し、随時ＴＯＣの管理情報を書き換える。また、操作部１１５から事象発生信号が入力された場合には、事象が発生したというイベント情報をその画像データのアドレスに付加するため、制御部１１７は、ディスク１０９のＴＯＣを書き換える。
【００１３】
再生時、制御部１１７は、ディスク１０９からディスクＩ／Ｆ１０７を通して最大データ転送速度及びタイミングに応じた通信レートでデータを読み出し、メモリ１０５に記録する。復号部１１１は、メモリ１０５に記録されたデータを復号部１１１で復号して出力部１１３へ出力する。
【００１４】
この様な構成において記録再生装置の動作を説明する。ここでは、カーブなどの見通しの悪い条件での撮影対象物、例えば車を撮影する場合を例にあげて説明する。ユーザーが見通しの悪いカーブから撮影対象物の車を撮りたい場合、いつ車が視界に現れるか予測できない。
【００１５】
そこで、確実に対象物を記録するために、予め撮影対象物の車が現れる前の段階から録画・再生切り替えダイアル２２５を録画モードに切り替えて、録画ボタン２２３を押して通常どおり記録を開始する。撮影対象物である車が視界に入ったという事象発生の際に、ユーザーはイベントボタン２２７を押すことで、事象発生信号を発生させる。制御部１１７は、このイベントボタン２２７が操作されると、そのときに撮影していたフレームの画像データに対してイベント情報を付加して記録するよう、ディスクＩ／Ｆ１０７を制御する。事象発生後、車が通り過ぎた後に録画ボタン２１５を押すことにより録画を停止する。
【００１６】
次に、この様に記録時に付加したイベント情報を利用して、ディスク１０９に記録した一連のコンテンツのうちの不要部分を削除するトリミング処理時の記録再生装置１００の動作を図３のフローチャート及び図４の表示パネル例を用いて説明する。
【００１７】
操作部１１５によりトリミング対象のコンテンツが選択され、トリミングモードの指示があると、制御部１１７は、指定されたコンテンツにおける縮小画像の表示間隔を確認する（Ｓ３０１）。この表示間隔は、後述の様に任意に設定可能であるが、最初は、撮影されたコンテンツの長さに応じて設定する。例えば、３分の画像データの場合は３０秒、３０分の画像データの場合は６０秒に設定する。
【００１８】
次に、ＴＯＣに基づいて、指定されたコンテンツのうち、前述のイベント情報が付加されたフレームを含むＧＯＰの記録アドレスを検出し（Ｓ３０２）、更に、このイベント情報が付加されたフレームの前後からＳ３０１にて設定されている間隔でそれぞれｎ画面の画像データを選択する（Ｓ３０３）。本形態では、図４の様に、１画面当たり９画面の縮小画像を表示するため、イベント情報の画面の前後から設定された間隔、ここでは１秒間隔で４画面づつ選択する。
【００１９】
次に、この様に選択したイベント情報の画面及びｎ画面の画像データを含むＧＯＰのデータをディスク１０９から再生すると共に復号し、更に、選択したイベント情報画面及びその前後のｎ画面の画像を縮小して図４に示す形態にて同一画面上に表示するべく表示制御部１１９を制御する。
【００２０】
図４は、このときに表示パネル２１７に表示される縮小画像の一覧表示画面を示している。図４では、イベント前後の縮小画像を６０秒間隔で表示している。
【００２１】
次に、ユーザーは表示パネル２１７の時間設定ゾーン４１９において、タイムボタン２１３、ジョグダイアル２１５を用いて任意の時間間隔に設定し直すことが出来る（Ｓ３０６）。例えば、タイムボタン２１３を押すごとに時間間隔が１秒、５秒、１０秒、６０秒、１２０秒と切り替わり、更にジョグダイアル２１５を操作することでその時間間隔をより細かく設定する。図４（ｂ）に示すように、時間間隔設定後に更に時間間隔を縮めるもしくは広げるなどの再設定も可能とする。本例では、時間間隔を６０秒から１５秒へと縮めている。この様に表示間隔の変更指示があると、Ｓ３０１に戻り、再び設定された間隔でイベント前後のｎ画面の画像データを再生し、縮小画像を一覧表示する。
【００２２】
この様に表示間隔を変更した結果、イベント発生時点を中心としてユーザーが目的とする範囲の縮小画像が表示されると、縮小画像のうち、保存したい部分の開始点、終了点の画像を選択する（Ｓ３０７）。
【００２３】
例えば、図４（ｂ）の様に、イベント発生前後の縮小画像のうち不要な道路が移っている場面を切り捨て、車が登場している画像データの範囲を選択する場合、ジョグダイアル２１５を操作して、保存開始点４２３、保存終了点４２５のそれぞれのポインタを移動し、保存開始点４２３を縮小画像４０５、保存終了点４２５を縮小画像４１３に合わせる。この状態でジョグダイアル２１５を操作し、削除を指示すると、制御部１１７はディスクＩ／Ｆ１０７を制御し、ポインタで指定された任意の保存開始点４２３から保存終了点４２５までの範囲以外のデータをディスク１０９から削除するようにディスク１０９に記録されているＴＯＣを書きかえる。
【００２４】
なお、本実施形態において、コンテンツの記録時間が短い場合には保存終了点４２５を指定する必要性があまりなく、その場合は保存開始点４２３のみを設定する構成でもよい。逆に、記録時間が長い場合には、表示パネル２１７にジョグダイアル２１５のスクロール機能を備えることにより画像選択を容易にする。また表示パネル２１７に対する操作として、圧力が加えられた座標位置情報を検知して構成されるタッチパネル構造を用いてもよい。
【００２５】
このように、本形態によれば、ユーザーが必要とする画像データを確実に記録した後、簡単な操作にて必要な画像データだけを保存することが可能となった。
【図面の簡単な説明】
【００２６】
【図１】本発明を適用した記録再生装置の構成を示す図である。
【図２】本発明を適用した記録再生装置の外観図である。
【図３】トリミング処理を示すフローチャートである。
【図４】トリミング処理における表示画面を示す図である。
【図１】
2005176175.tif 000003
【図２】
2005176175.tif 000004
【図３】
2005176175.tif 000005
【図４】
2005176175.tif 000006